Podtech/llm-jp-corpus-v4-ja_patent huggingface dataset:
(57)【要約】【課題】  支柱フレーム架台にネット付バケットフレームを回転ピンにて結合し支柱フレーム架台にネット付バケットフレームに設けた、フックにスプリングを結合して、ネット付バケットフレームの上げ下げを、簡単かつ迅速に行い、使用時  不使用時のスペース確保を行う。  使用時のゴミステーションの目的を果たし、不使用時のスペース確保を簡単かつ迅速に行う事を目的とする、跳ね上げ式ゴミステーションを提供する。【解決手段】  支柱フレーム架台にネット付バケットフレームを回転ピンにて結合し支柱フレーム架台にネット付バケットフレームに設けた、フックにスプリングを結合して、ネット付バケットフレームの上げ下げを、簡単かつ迅速に行い、使用時  不使用時のスペース確保を行う事を特徴とする。【選択図】図１
2013023388.tif 000002
【特許請求の範囲】
【請求項１】
支柱フレーム架台（１）にネット付バケットフレーム（２）を回転ピン（３）にて結合する。支柱フレーム（１）、ネット付バケットフレーム（２）にそれぞれにフック（４）を設け、スプリング（５）を支柱フレーム（１）、ネット付バケットフレーム（２）に設けたフック（４）に結合し、回転ピン（３）を軸にネット付バケットフレーム（２）が可動するようにした、跳ね上げ式ゴミステーション。
【発明の詳細な説明】
【技術分野】
【０００１】  この発明は、ゴミステーションの一部を可動跳ね上げ式とすることにより設置スペースを縮小できる、跳ね上げ式ゴミステーションに関するものである。
【背景技術】
【０００２】  従来、ゴミステーションは独立一体型もしくは折り畳み式のものであった。
【先行技術文献】
【０００３】
【特許文献】
【非特許文献】
【発明の概要】
【発明が解決しようとする課題】
【０００４】  これは、次のような欠点があった。
従来、一体型のゴミステーションはゴミを収納する為に奥行が深くなり、場所スペースが必要。折り畳み式ゴミステーションは折りたたむのに手間がかかる、欠点があった。
本発明は、以上のような欠点をなくし、不使用時には簡単かつ小スペースにて設置を可能とし、利便性を高めたものである。
【課題を解決するための手段】
【０００５】  支柱フレーム架台（１）にネット付バケットフレーム（２）を回転ピン（３）にて結合する。支柱フレーム（１）、ネット付バケットフレーム（２）にそれぞれにフック（４）を設け、スプリング（５）を支柱フレーム（１）、ネット付バケットフレーム（２）に設けたフック（４）に結合する。
本発明は、以上の構成によりなる、跳ね上げ式ゴミステーションである。
【発明の効果】
【０００６】  使用時には、ネット付バケットフレームを下ろし、ゴミ収納スペースを確保不使用時には、ネット付バケットフレームを上げ、不要スペースを広げ、有効利用する。
スプリングを結合してある為、ネット付バケットフレームの上げ下げに、大きな力がいらず、簡単かつ迅速にゴミステーション使用、不使用時のスペースの確保ができる。
【図面の簡単な説明】
【０００７】
【図１】  本発明の斜視図である。
【図２】  本発明の断面図である。
【図３】  本発明の斜視図である。
【発明を実施するための形態】
【０００８】  以下、本発明を実地するための形態について説明する。
支柱フレーム架台（１）にネット付バケットフレーム（２）を回転ピン（３）にて結合する。支柱フレーム（１）、ネット付バケットフレーム（２）にそれぞれにフック（４）を設け、スプリング（５）を支柱フレーム（１）、ネット付バケットフレーム（２）に設けたフック（４）に結合し、回転ピン（３）を軸にネット付バケットフレーム（２）が可動するようにした。
本発明は、以上のような構造である。
この発明の設置例題として、道路、歩行者用道路などの指定ゴミ置き場など不使用時は、ネット付バケットフレームをスプリングの力で簡単に跳ね上げ、交通スペース、歩行スペースを確保する。使用時には、重力とスプリングの反作用の力で、緩やかにネット付バケットフレームを下げることができ、ゴミステーションとしての効果を、発揮できる。
ゴミステーションとしての目的を果たし、使用時、不使用時のスペース確保を簡単かつ迅速に行うことを目的とする。
【符号の説明】
【０００９】１    支柱フレーム架台
２    ネット付バケットフレーム
３    回転ピン
４    フック
５    スプリング
【図１】
2013023388.tif 000003
【図２】
2013023388.tif 000004
【図３】
2013023388.tif 000005
(57)【要約】      （修正有）【課題】津波に対する避難場所の提供と、避難場所の有効活用方法および雇用場所を提供する。【解決手段】階段状外形の道路構造１は内部空間２を有し、内部空間２を工場、倉庫などに利用すると共に、内部空間２の下に水を貯める構造を有する。階段状外形部は移動速度の異なる車、バイク、歩道専用であり、交通事故を減少させる。内部空間２は植物工場として利用し、水槽３からの水を供給する。【選択図】図１
2013023899.tif 000002
【特許請求の範囲】
【請求項１】
階段状外形の道路構造にあって、当該道路構造は内部に地下空間を有し、当該地下空間を工場、倉庫などに利用すると共に、地下空間の下に水を貯める構造を有することを特徴とする道路構造。
【発明の詳細な説明】
【技術分野】
【０００１】
本発明は、津波対策を講じた道路技術に属する。
【背景技術】
【０００２】
大地震に伴う津波などにより多大な人的損害を受ける。津波に対する対策は防波堤防の構築、防波林の育成、海岸近くに設けた避難場所の設置など総合的になされる必要がある。避難場所への通路として特開２００９−７８５１には両側から張り出す部材で外界から隔離する半円の通路を構成する方法が開示されている。特に海岸近くに設ける避難場所は、これが適切に設けられるならば人的損害を最少にとどめるために有効である。高盛土して構築された道路、鉄道などは防波堤と避難場所を兼ね、海岸近くに設ければ特にその効果は大きい。本願発明は避難場所の提供に有る。
【先行技術文献】
【特許文献】
【０００３】
【特許文献１】特開２００９−７８５１
【発明の概要】
【発明が解決しようとする課題】
【０００４】
本発明は、津波に対する避難場所の提供と、避難場所の有効活用方法および雇用場所の提案にある。
【課題を解決するための手段】
【０００５】
本発明は、階段状外形の道路構造にあって、当該道路構造は内部に地下空間を有し、当該地下空間を工場、倉庫などに利用すると共に、地下空間の下に水を貯める構造を有することを特徴とする道路構造である。
【発明の効果】
【０００６】
本発明は、（１）内部に地下空間を設けたため、その空間を倉庫、植物工場に提供できる。（２）地下構造となるため内部空間の気温、湿度はほぼ一定に保たれ植物の品質が一定に保てる。（３）内部空間の下に水を貯めることができるため、上部植物工場に水を供給できる。（４）階段状の外形を利用し、各段を自転車、歩道、バイクなどの専用道路とすることができる。（５）最上部を道路、鉄道用とし、津波時には避難場所となる。（６）内部空間の工場で雇用の機会を増やすことができる。
【図面の簡単な説明】
【０００７】
【図１】は、本発明の道路構造の概念図である。
【発明を実施するための形態】
【０００８】
以下本発明の道路構造を、図を用いて説明する。
図に示すように本道路構造は、（１）階段状の外形を有する、（２）内部に空間を有する、（３）内部空間の下部に水槽を有する。
【０００９】
階段状の外形部は、歩道、自転車道、バイク道の専用道路として利用する。
移動スピードの異なる車、人を分離するため事故の可能性が減少する。最上部は一般車道あるいは鉄道用として利用する。
最上部は津波などの発生時には避難場所として利用可能となる。必要に応じ道路上の休憩所その他の施設を避難民に開放することもできる。また、格階段に通ずる避難用の通路を用意する。
【００１０】
内部空間は、必要に応じ上下あるいは長手方向に区画し、倉庫、工場その他多目的な利用が可能である。植物工場として利用するならば、中の温度湿度が一定に保たれるため品質の安定した植物が栽培可能となる。照明の程度は調節可能のため、きのこ類から野菜まで栽培可能な空間を提供できる。
【００１１】
内部空間の下部には水槽が設けられ、雨水など適宜貯留することができる。
水槽中の水は上の植物工場に供給可能である。地下においては、水温はほぼ一定であり、１５度前後に保たれる。従い魚の養殖に使用すれば、５度以下になると魚は餌を食べないが、この温度では魚は一年中餌を食べるため成長が早くなり経済効果が高まる。
【産業上の利用可能性】
【００１２】
道路の構築に利用できる。特に津波の恐れの有る海岸地方に設けるとその利用効果が高くなる。
【符号の説明】
【００１３】
１  道路構造
２  内部空間
３  水槽
【図１】
2013023899.tif 000003
(57)【要約】【課題】初心者でもメリヤス編みが簡単に出来る、マットを提供する。【解決手段】凸部の形に丸みをもたせ、糸状のものをくぐりやすくする。糸状のものの太さや材質が変っても他の道具なしで作品が出来る。音もせず危くなく洗える。姿勢も悪くしない。二枚合せれば繋ぎ目なしで大版の作品が出来るのを特徴とする。【選択図】図１
2013023803.tif 000002
【特許請求の範囲】
【請求項１】
マット周辺に凸をつけ、糸状のものを巻きつけメリヤス編みを作るマット編み器
【発明の詳細な説明】
【技術分野】
【０００１】この発明はＥＶＡ樹脂の板状の四辺に連続して凹凸をつけたものに、糸状のものをかけ、針を使わずメリヤス編みにするものである。
【背景技術】
【０００２】従来メリヤス編みは、編棒を使用し初心者には難しい。
指編みでは、作品が細長く巾広い作品が一度に出来ない。
【発明の概要】
【０００３】このマットの凸部分に、糸状のものを交互に巻きつけ二周する。次に巻きつけた糸状のものゝ上方に横に糸状のものをのせ、先に巻きつけた糸状のものをつまみ上げて凸部分をくぐらせて後側へ落とす。
これを一定方向へ次々と繰り返すとメリヤス編みの筒状の編物が出来る。
【課題を解決するための手段】
【０００４】ＥＶＡ樹脂マットの大きさと、凸の形と密度を工夫し、編み器とした。
【発明の効果】
【０００５】子供から編み物未経験者迄、簡単にメリヤス編みがこれ一つで出来る。
左きゝや視力が弱い人、リハビリにも使える。
連結して大型作品も出来る。
【図面の簡単な説明】
【０００６】
【図１】マット編み器の正面図である。
【図２】凸部詳細図である。
【図３】マット編み器の断面図である。
【発明を実施するための形態】
【０００７】以下  本発明を実施するための形態について説明する。
ＥＶＡ樹脂の一辺２７０ｍｍ，厚さ１０ｍｍの四角形のマットに高さ１５ｍｍの凸状のものを各々等間隔に８個づつ作る。
二枚目とジョイント出来る。
【図１】
2013023803.tif 000003
【図２】
2013023803.tif 000004
【図３】
2013023803.tif 000005
(57)【要約】      （修正有）【課題】画期的な発明［空陸運搬具］を提供する。【解決手段】先ず、地域には、電線等が殆ど張っている為電線の無い場所まで空陸運搬具で移動して、ヘリコプターの翼を伸ばし、稼動中に横軸の翼左右を延ばしヘリコプターの傘を畳む。下降領域では、ヘリの翼を延ばし横軸の翼を畳み、ヘリだけで下降、そして、目的地に着陸。【選択図】図２
2013154879.tif 000002
【特許請求の範囲】
【請求項１】
［技術分野］
車窓の下部が電気自動車が一艘目、横軸が比翼で水素エンジン動力が２艘目、三艘目がヘリコプターの比翼が延び、傘の様な開き方のヘリコプター比翼、陸上部を走る時は、電気自動車（＝水素での比翼時等で電力補給）、飛び立つ時には、駐車場等の電線の無い場所使用、まず、ヘリコプターの比翼を伸ばし、稼動中に横軸の比翼左右を延ばしヘリコプターの傘を畳む。下降領域では、ヘリの比翼を延ばし横軸の比翼を畳み、ヘリだけで下降、そして、目的地に着陸。そこから、さらに、電気自動車で移動する。そして、目的地に到達する。
【発明の詳細な説明】
【技術分野】
【０００１】  車窓の下部が電気自動車が一艘目、横軸が比翼で水素エンジン動力が２艘目、三艘目がヘリコプターの比翼が延び、傘の様な開き方のヘリコプター比翼、陸上部を走る時は、電気自動車（＝水素での比翼時等で電力補給）、飛び立つ時には、駐車場等の電線の無い場所使用、まず、ヘリコプターの比翼を伸ばし、稼動中に横軸の比翼左右を延ばしヘリコプターの傘を畳む。下降領域では、ヘリの比翼を延ばし横軸の比翼を畳み、ヘリだけで下降、そして、目的地に着陸。そこから、さらに、電気自動車で移動する。そして、目的地に到達する。
【背景技術】  新型の電気自動車や軍用機にも着目。【０００２】
【先行技術文献】
【特許文献】
【０００３】
【特許文献１】  プロが教える自動車のメカニズム（ナツメ社）・図解ヘリコプター（講談社）・図解・飛行機のメカニズム（講談社）
【特許文献２】  飛行機の操縦（ＰＨＰ新書）・航空管制の科学（講談社）
【非特許文献】
【０００４】
【非特許文献１】  技術分野参照
【非特許文献２】  技術分野参照
【発明の概要】
【発明が解決しようとする課題】  ［実体型のモデル製造］
【課題を解決するための手段】  ［水素エンジンの比翼の濃縮技術・水素ボンベ等の補助・水から水素を取り出し水槽のタンクが必要］
【発明の効果】  ［日常生活で自動車の様な必要性の時代］
【図面の簡単な説明】  ［技術分野参照］
【図１】
【発明を実施するための形態】
［日本や世界で利用可能］
【実施例】  ［なし］
【産業上の利用可能性】  ［空陸免許を取得する学校で自衛隊の元パイロットが必要］
【符号の説明】
【・・・・】
【受託番号】
【・・・・】
【図１】
2013154879.tif 000003
【図２】
2013154879.tif 000004
【手続補正書】
【提出日】平成25年5月28日(2013.5.28)
【手続補正２】
【補正対象書類名】明細書
【補正対象項目名】０００４
【補正方法】変更
【補正の内容】
【０００４】
【非特許文献１】技術分野参照
【非特許文献２】技術分野参照
【発明の概要】
【発明が解決しようとする課題】
［実体型のモデル製造］
【課題を解決するための手段】
［水素エンジンの比翼の濃縮技術・水素ボンベ等の補助・水から水素を取り出し水槽のタンクが必要］
【発明の効果】
［日常生活で自動車の様な必要性の時代］
【図面の簡単な説明】
［技術分野参照］
【図１】空陸運搬具が地上を飛び立ち、空を旋回して、比翼も延ばしたりして地上にヘリで降り立ち目的地に向かう図面。
【図２】空陸運搬具が地上を飛び立ち、空を旋回して、比翼も延ばしたりして地上にヘリで降り立ち目的地に向かう図面。
［日本や世界で利用可能］
【実施例】
［なし］
【産業上の利用可能性】
［空陸免許を取得する学校で自衛隊の元パイロットが必要］
(57)【要約】【課題】道路交通法により自転車は車両扱いとなったが、ウインカーの無い車両が車道を走るのは、非常に危険である。そこで、新車にも既存の自転車にも装着出来るウインカーは不可欠であり、ウインカーを装備することが急務である。【解決手段】本発明は、自転車の左右のハンドルに太陽電池を装着させ電源とし、ＬＥＤ電球を両ハンドルの先端（グリップ）に使用して点灯させ、グリップを反射板とクリアカバーで覆い、光を反射させる。さらに両グリップには、音の出るスピーカーを備え、そのスピーカーと電球の点灯消灯を操作するＯＮ・ＯＦＦスッチを備える。走行中は、一部の電球を常に点灯させ車幅と走行中を確認し易くする。駐車時は、止める。また、右・左折時には、曲がる側の電球全部を点灯させ、音と共に曲がる方向を合図し、曲がった後は消す。自転車はこの合図を示すことで、車や歩行者からも分かりやすく、事故防止に役立つ。【選択図】図１
2013154866.tif 000002
【特許請求の範囲】
【請求項１】
自転車のハンドル１を設け、その自転車のハンドル１の左右の先端部にグリップ２を、グリップ２の上部にクリスタルカバー３を挿入し、クリスタルカバー３には反射板４を設け、そして太陽光を電源とする太陽電池５、スピーカ６、ＯＮ・ＯＦＦのスイッチ７を取り付け、グリップ２の先端部に複数のＬＥＤ電球８を取り付けたことを特徴とする自転車のウインカー「ウインカーベル」。
【請求項２】
ＬＥＤ電球を左右ハンドルの先端部グリップに装着し、そのグリップの先端部に反射板とクリアカバーで覆い、電球点灯時の光を反射させることを特徴とする請求項１記載の自転車のウインカー「ウインカーベル」。
【請求項３】
自転車走行時に常に点灯させ駐車時には止めるＯＮ・ＯＦＦスイッチと、右・左折時に、曲がる側を点灯させるＯＮスイッチと曲がった後にＯＦＦに戻すスイッチを左右のハンドルに装着し、又、夜間も点灯させるために蓄電池９を、そして太陽光を電源としたスピーカをハンドルのグリップの上部に装着して音を出すようにした請求項１〜２記載のどちらか１項の自転車のウインカー「ウインカーベル」。
【発明の詳細な説明】
【技術分野】
【０００１】  本発明は、電源を太陽光電池として、自転車が走行しているのを光で知らせるのと左右に曲がる際に、光と音で方向を指示し、警告するウインカーに関する。
【背景技術】
【０００２】  自転車のライトの電源は走行式電池が主流であった。また、ウインカー（方向指示器）は現在は殆どの自転車に装備はない。  音で知らせるものには、ベルが一般的である。
【発明の概要】
【解決しようとする課題】
【０００３】  道路交通法で、自転車は車道を走るのが原則となり、自転車にも車にとっても非常に危険な状況になっている。自転車を車と同じ車両扱いにするのであれば、自転車にも車と同じ装備をする必要がある。そこで、
・自転車が走行中であることを、車や歩行者が確認し易くする
・自転車が右・左折時に、曲がる方向を知らせる。（信号では、合図して歩行者の直進を待つことも義務である）。
【課題を解決するための手段】
【０００４】  自転車はハンドルを設け、その自転車のハンドルの左右の先端部にグリップを、グリップの上部にクリスタルカバーを挿入し、クリスタルカバーには反射板を設け、そして太陽光を電源とする太陽電池、スピーカー、ＯＮ・ＯＦＦのスイッチを取り付け、グリップの先端部に複数のＬＥＤ電球を取り付けたことを特徴とする。
【発明の効果】
【０００５】  自転車が走行中、常に光を点灯させることで、自転車の車幅と走行中を確認し易くする。また、右・左折時にも、光と音で曲がる方向を示すことにより、自転車の走行方向をはっきり示し、車や歩行者にもわかりやすく合図することで、事故防止にもつながる効果が期待できる。
【図面の簡単な説明】
【０００６】
【図１】本発明の自転車のウインカー「ウインカーベル」の平面図
【図２】図１の詳細図。
【図３】ハンドルの内部の一部断面蓄電池の詳細組立て斜視図。
【発明を実施するための形態】
【０００７】  電源は、太陽光発電池を自転車の左右のハンドルに装着させる。
ハンドルの先端にＬＥＤ電球を使用して点灯させ、それを反射板とクリスタルで光を反射させることで、よりハンドルを明るく光らせる。常に点灯させるスイッチと、左右に曲がる際曲がる側だけ点灯させ、曲がり終わったら、元に戻すＯＮ・ＯＦＦのスイッチを備えている。
また、曲がる際には同時に音を出すスピーカーも備える。ハンドル内には蓄電池を備えて、夜間用に電気を蓄電する。
【実施形態の効果】
【０００８】  太陽光を電源とするため、電池切れの心配がない。蓄電池を備える事で、夜間も点灯が出来る。ＬＥＤ電球を使用することで、発光性と耐久性と節電効果を増やす。
左右の両ハンドルに装着させる事で、自転車の車幅も認識してもらえる。
【符号の説明】
【０００９】１  自転車のハンドル
２  グリップ
３  クリスタルカバー
４  反射板
５  太陽電池
６  スピーカー
７  ＯＮ・ＯＦＦスイッチ
８  ＬＥＤ電球
９  蓄電池
１０  蓄電池ソケット
１１  電源コード
１２  ブレーキハンドル
【図１】
2013154866.tif 000003
【図２】
2013154866.tif 000004
【図３】
2013154866.tif 000005
(57)【要約】      （修正有）【課題】画鋲としても使えるメモクリップを提供する。【解決手段】画鋲１の上部にクリップを設ける。当該クリップ２は、バネ性を有した構成で、バネの力により紙などを挟むことができる。また画鋲１の針の部分を一方向面だけ平たくした物を設ける。このため画鋲１の針の部分の一方向面だけ平たくした物によって、画鋲１を差し込んだあと、画鋲１により固定され挟んだものが動かなくなり、メモ用紙や、写真などをクリップ２にまとめて挟んで、かつ画鋲１部分で壁などに留めることができる。【選択図】図１
2013154633.tif 000002
【特許請求の範囲】
【請求項１】
画鋲（１）の上部にバネ性のクリップ（２）を設けたことを特徴とする画鋲を使ったメモクリップ。
【発明の詳細な説明】
【技術分野】
【０００１】  本発明は、画鋲の上部に、バネ性のクリップを設け、メモや写真、紙などを簡単に差し込んだり、外したりもでき、また、画鋲としても使えることを特徴とする画鋲を使ったメモクリップに関するものである。
【背景技術】
【０００２】  従来、部屋の壁や木にメモ用紙を取り付けるものは画鋲があった。
【先行技術文献】
【特許文献】
【０００３】
【特許文献１】  特開２００８−１１９８５６号公報
【特許文献２】  特開２００６−１２６２号公報
【発明の概要】
【発明が解決しようとする課題】
【０００４】  それらには、次のような問題点があった。
従来、冷蔵庫や鉄などに、磁石などでメモ用紙など挟むものはあった。
壁や木に取り付けるのには画鋲はあった。
また、先行技術文献のように、壁などの取り付けるメモクリップは、あったが、画鋲を利用したものはなかった。
また、画鋲を利用することにより、画鋲にクリップを付けるだけで、先行技術文献の様に複雑な工程をしなくても、仕組みがより簡単で安価にメモクリップを作ることができる。
本発明は、これらの問題点を解決するためになされたものである。
【課題を解決するまでの手段】
【０００５】  画鋲（１）の上部にバネ性のクリップ（２）を設けた画鋲を使った以上のことを特徴とするメモクリップである。
【発明の効果】
【０００６】  画鋲の上のバネ性のクリップなので、簡単にメモ用紙や紙などを差し込め、外すときも簡単にできる。
画鋲をいちいち外さなくていい。
そして、画鋲としても使える。
【図面の簡単な説明】
【０００７】
【図１】  本発明の正面から見た断面図である。
【図２】  本発明の斜視図である。
【図３】  本発明の状態を示した説明図である。
【図４】  本発明の側面から見た断面図である。
【発明の実施するための形態】
【０００８】  以下、本発明の実施の形態についてについて説明する。
画鋲（１）の上部に、クリップ（２）を設ける。
このクリップ（２）は、バネ性を有した構成で、バネの力にて紙などを挟むことができる。
画鋲（１）の針の部分を一方面だけ平たくした物（４）を設ける。
本発明は以上のような構成である。
これを使用するときは、画鋲（１）を壁や木に押してつけ固定し、バネ性のクリップ（２）部分に、メモ用紙や写真、紙などを挟んで固定する。
画鋲の針の部分の一方向面だけ平たくした物（４）によって、画鋲を差し込んだあと、画鋲（１）より固定され挟むものが動かなくなる。
画鋲をいちいち刺したり、外してりせず、メモ用紙や、写真などを挟め、外すことが簡単にできる。
また、画鋲としても使える。
【符号の説明】
【０００９】  １  画鋲
２  クリップ
３  挟むもの
４  画鋲の針の一方面だけ平たくした物
【図１】
2013154633.tif 000003
【図２】
2013154633.tif 000004
【図３】
2013154633.tif 000005
【図４】
2013154633.tif 000006
(57)【要約】【課題】  従来、ブラシとスポンジ束子は別々であったので不便であった。【解決手段】  ブラシの周囲にスポンジを配置する。これにより一つの束子でブラシとスポンジの両方が使え、又ブラシの毛による汚れの跳ね飛ばしを防止することができる。【選択図】図２
2013154153.tif 000002
【特許請求の範囲】
【請求項１】
図１及び図２に示すように、ブラシの周囲に全部又は一部がスポンジである材料を配置したブラシ付きスポンジ束子。
【請求項２】
図３に示すように、ブラシの高さを周囲の全部又は一部がスポンジである材料の高さより低くした構造の「請求項１」のブラシ付きスポンジ束子。
【発明の詳細な説明】
【技術分野】
【０００１】本発明は、台所、浴室等で使用する多様な汚れを洗い落とすのに対応した束子に関するものである。
【背景技術】
【０００２】従来、汚れ等を洗い落とすための道具としてのスポンジ束子とブラシは別々であった。
【発明の概要】
【発明が解決しようとする課題】
【０００３】軽い汚れにはスポンジ又はその表面に不織布等を貼り付けた束子で洗い落とせても層の厚い落ちにくい頑固な汚れの場合はブラシが適している。しかし狭い台所等では両方揃えても置き場所にも困る。
【課題を解決するための手段】
【０００４】ブラシの周囲にスポンジ等を配置した束子。
【発明の効果】
【０００５】一つの道具で軽い汚れから層の厚い頑固な汚れまで洗い落とすことが出来る。【０００６】ブラシだけの場合、その毛の弾力性のため外側へ汚れた固体や液体が飛び散って周囲を汚してしまう。しかしブラシの周囲にスポンジ等を配置すると飛び散らない。又ブラシの毛先はスポンジ等の壁で囲まれているので外側へ広がっていくこともない、
【図面の簡単な説明】
【０００７】
【図１】本発明の正面図
【図２】本発明の底面図
【図３】本発明の図２におけるＡ−Ａ線断面図
【発明を実施するための形態】
【０００８】以下、本発明の実施の形態を図１〜図３に基づいて説明する。
【０００９】図においては、板１の中央部にブラシ４を、その周囲にスポンジ２と不織布３を取り付けてある。用途がブラシより主にスポンジ部の場合は図３のようにブラシ４の高さを周囲のスポンジ２と不織布３を合わせた高さより低くする。この場合、板部を強く押えるとスポンジが縮んでブラシが露出する。又、用途がスポンジ部より主にブラシの場合はブラシ４の高さは周囲のスポンジ２と不織布３を合わせた高さより高くするか同じにする。この場合、スポンジとあるのは他の柔らかくて弾力性のあるスポンジに似た性質の物質をも含むものとする。スポンジの表面は不織布以外にも効率的に洗い落とすための合成樹脂・金属の加工品等を取り付けたり又は網等で覆ってもよい。もちろん、スポンジ部は全部がスポンジだけでもよい。要するにブラシの周囲に全部又は一部がスポンジのような性質のある材料を配置した束子である。
【符号の説明】
【００１０】１  板
２  スポンジ
３  不織布
４  ブラシ
【図１】
2013154153.tif 000003
【図２】
2013154153.tif 000004
【図３】
2013154153.tif 000005
(57)【要約】【課題】カーテンを閉じたとき視線や陽射を遮りながら風の通り道となる隙間をつくる手段を提供する。【解決手段】  基板１を二本のカーテンレールに水平に取り付け取り外しができる取付具２を辺にカーテン吊具３を有する基板１に組み込んだ構造のカーテン用通気板とし、基板１をカーテンレールに水平に取り付けた状態でカーテンレールに掛かっていたカーテンをカーテン吊具３に掛け替えることでカーテンを室内側に曲げ、閉じたとき接していた隣接カーテンとの間に通気用の隙間を作る。【選択図】図１
2013154155.tif 000002
【特許請求の範囲】
【請求項１】
基板に基板自体を二本のカーテンレールに水平に着脱するための取付具を組み込み、かつ、該基板の辺にカーテン吊具を有する構造のカーテン用通気板。
【発明の詳細な説明】
【発明の詳細な説明】
【技術分野】
【０００１】カーテンを閉じたときに目隠し、遮光効果を保ち、かつ、風通しを良くするための器具に関するものである。
【背景技術】
【０００２】従来、カーテンを完全に閉じると風通しが悪くなり、風通しの隙間を開けると外部から室内が見えたり陽射が入り込むなどの問題点があった。これはカーテン面と窓面が平行であるためである。他に、窓際にポールを立て、そのポールに付けた腕木にカーテンを掛け腕木ごとカーテン面の向きを変える設備もあるがポールを立てる作業が必要であったり、窓の中央では邪魔になったり、移動できなかったりする問題点があった。
【発明が解決しようとする課題】
【０００３】本発明はカーテンの吊下げ位置をカーテンレールから外し、縦型ブラインドのように、窓面に対してカーテン面を曲げることで外部の視線や陽射を遮りつつ風通しの隙間を確保する。
【課題を解決するための手段】
【０００４】以下、図面を使って詳細に説明する。
図１は本発明のカーテン用通気板の構成図であり、１は基板、２は取付具、３はカーテン吊具である。基板１は水平にしても撓まない三角形状の板であり、一辺にはカーテン吊具３が付いている。以下説明の都合上カーテン吊具３が付いた辺をカーテン吊辺と呼ぶ。
取付具２は基板１を２本のカーテンレールに水平に取り付けるためのものである。基板１に取り付けた鉤状の回転ハンドルと基板１の間にバネの力でカーテンレールを挟む仕組みなどとして構成できる。
図２は本カーテン用通気板の使用例を示す。以下の説明では室内から窓側を見て、左側、右側、内側、外側という。４は外カーテンレール、５は外ランナー、６は内カーテンレール、７は内ランナー、８はカーテン稜線、９は隣接カーテン稜線である。外ランナー５は外カーテンレール４内のランナー、内ランナー７は内カーテンレール６内のランナーである。カーテン稜線８はカーテンの上端の線、隣接カーテン稜線９は閉じたとき同一カーテンレール内で隣接するカーテンの稜線である。
本カーテン用通気板を取り付ける部分の外ランナー５と内ランナー７を除けてスペースを作り、外カーテンレール４と内カーテンレール６に跨って下側に水平になるように取付具２を用いて基板１を取り付ける。その時、カーテン吊具３のあるカーテン吊辺が外カーテンレール４から室内側に離れていくように取り付ける。その後、外ランナー５から外したカーテンフックをカーテン吊具３に移し替える。その結果、外カーテンレール４に吊るしたカーテンのカーテン稜線８は室内側に曲がり通気用の隙間が出来る。カーテン稜線８と隣接カーテン稜線９が室内から見て重なるように閉じれば、外部視線や陽射の侵入方向も基板１のカーテン吊辺の方向に狭く制限することができる。カーテンフックをカーテン吊具３から外し、元の外ランナー５に付替え、本カーテン用通気板を取り外せば通常のカーテン状態に戻すことができる。また、以上の説明の別例として、内カーテンレール６のカーテンを曲げることもできる。さらに、カーテンフックの掛け替えが面倒であれば別作りのカーテンを暖簾のようにカーテン吊具３に掛けることもできる。
【発明の実施形態】
【０００５】  以上はカーテン左端を室内側に曲げる場合であり、カーテンレールに取り付けた時、基板１のカーテン吊辺が室内から見て右側となる形に構成している。逆に左側となる形に構成すればカーテン右端を室内側に曲げることができる。
基板１の形状は必ずしも三角形である必要はない。また取付具２も上記の説明のように鉤状の回転ハンドル形式である必要もない。２本のカーテンレールに水平に取り付け取り外しができ、かつ、カーテン吊辺が室内側に向いている構造であれば良い。
本カーテン用通気板はプラスチックや木、金属など既存の材料で、既存の技術で製造できる。
【発明の効果】
【０００６】視線や陽射を遮りながら風通しを良くすることができ、省エネ効果が期待できる。
【図面の簡単な説明】
【図１】本発明のカーテン用通気板の構成図。
【図２】本発明のカーテン用通気板でカーテン左端を室内側に折り曲げた図
【符号の説明】１は基板、２は取付具、３はカーテン吊具、４は外カーテンレール、５は外ランナー、６は内カーテンレール、７は内ランナー、８はカーテン稜線、９は隣接カーテン稜線。
【図１】
2013154155.tif 000003
【図２】
2013154155.tif 000004
(57)【要約】      （修正有）【課題】ウィービングカラーリング施術時に、時間がかからず、毛髪を均一に束状（スジ状）に取りわけられるウィービングコームを提供する。【解決手段】カギが施された歯の部位Ａと、カギが施されていない歯の部位Ｂと、柄の部位Ｃと、指で掴む部位Ｄを有し、カギは柄とは逆方向を向いているウィービングコームとすることで、ウィービングカラーリング施術時に、時間がかからず、誰でも簡単に、正確に毛髪を束状に取り分けることができる。【選択図】図１
2013154152.tif 000002
【特許請求の範囲】
【請求項１】
（図１）コームの歯の部分に、毛髪を束状（スジ状）に均等に取り分けるための形（カギ）（図２）が、施されているウィービングコーム。
【請求項２】
（図１）前記歯の形（カギ）（図２）が、柄部の逆方向を向いている請求項１記載のウィービングコーム。
【請求項３】
（図１）前記歯の形（カギ）（図２）が、均一な大きさをしてる、請求項１，２記載のウィービングコーム。
【請求項４】
（図１）Ｄ、指で掴む所が異形な、請求項１，２，３または５記載のウィービングコーム。
【請求項５】
（図１）Ａの反対側にＢが施されている、請求項１，２，３記載のウィービングコーム。
【請求項６】
（図１）Ｃの先端が尖っている、請求項１，２，３または５記載のウィービングコーム。
【請求項７】
歯に施されているカギの形（図２）。
【発明の詳細な説明】
【技術分野】
【０００１】この発明は、ウィービングカラーリング（毛髪をスジ状に染める技法）施術時に、使用するウィービングコームに関する。
【背景技術】
【０００２】従来、ウィービングカラーリング施術時に、毛髪を束状（スジ状）に取り分ける作業をするのですが、今現在では、普通のコームのテールの部分を使い毛髪を束状（スジ状）に取ります。
しかし、この技術は容易ではなく高度な技術能力と鍛錬が必要です。
【先行技術文献】
【０００３】
【特許文献１】特開平０８−２４２９３０
【実用新案文献１】
実登３１５９６８６
【発明の概要】
【発明が解決しようとする課題】
【０００４】しかしながら、上記の技術によれば時間がかかり、毛髪を束状（スジ状）に均等に取りわけられず正確ではない。
そこでこの発明は、時間がかからず（一瞬）誰でも正確に簡単に均等に毛髪を束状（スジ状）に取りわけられることを課題とする。
【課題を解決する為の手段】
【０００５】以上の課題を解決する為に、第一発明は（図１）Ｅ、歯の部分に毛束を的確に逃がさず一瞬で束状（スジ状）にとりわけるための形（カギ）（図２）を施している。
第二発明は（図１）Ａ、Ｅ、毛髪を束状（スジ状）に取り分けやすい歯のカギ（図２）が柄部の逆方向をむいている。
【発明の効果】
【０００６】第一発明により、ウィービングカラーリング施術時の毛髪を束状（スジ状）に均等に取分ける行程を一瞬で行うことが出来る。
第二発明により、取り分けた毛束を、容易に受け取ることが出来る。
【図面の簡単な説明】
【０００７】
【図１】ウィービングコーム本体図
【図２】Ｅの拡大図
【図３】従来のコームを使用し、毛髪を束状（スジ状）に取り分ける施術時の図
【図４】開発したウィービングコームを使用し、毛髪を束状（スジ状）に取り分ける施術時の図
【発明を実施するための形態】
【０００８】（図１）Ａの部分の歯に、カギ（図２）を施している。
（図１）カギ（図２）が施されている歯は、コームの柄とは逆方向を向いている。
（図１）Ｄの部分の形が、異形である。
（図１）Ｃの先端部分は、先を尖らせている。
（図１）Ｂの歯が、Ａの反対側に施されている。
【０００９】「実施形態の効果」
（図４）この実施形態によれば、時間がかからず（一瞬）誰でも簡単に正確に毛髪を束状（スジ状）に均等に取りわけられる。
「他の実施形態の効果」
（図１）Ｄの形により、しっかり指でウィービングコーム（図１）を持つことが出来、安定することが出来る。
（図１）Ｃの形により、毛髪を的確に取り分けることが出来、ブロッキングをしやすい。
（図１）Ｂにより、毛髪を整え梳かすことが出来、毛髪を束状（スジ状）に取りわけやすい。
【符号の説明】
【００１０】Ａ  カギが施されている歯の部位
Ｂ  カギが施されていない歯の部位
Ｃ  柄の部位
Ｄ  指で掴む部位
Ｅ  カギの部位
【図１】
2013154152.tif 000003
【図２】
2013154152.tif 000004
【図３】
2013154152.tif 000005
【図４】
2013154152.tif 000006
(57)【要約】【課題】  １枠型物干し具には内側に使用されない２洗濯バサミが多くみられる。  また、２洗濯バサミを使用して干した４タオルの布の両端には歪みが生ずるため、その防止策も検討課題となる。【解決手段】枠外周には通常の２洗濯バサミを装着して、内側に３バー等の棒状部材を設置する。  その３バー等の棒状部材に４タオル等の布を干すことにより、それらの両端に発生する歪みを解消できる。そのことにより、使用されない内側の２洗濯バサミの数量も削減することが可能となる。【選択図】図１
2013154150.tif 000002
【特許請求の範囲】
【請求項１】
枠型物干し具において、周囲の枠に洗濯バサミを備え、内側に配置された洗濯バサミを排除し、枠の内側にタオル等を横から挿入して洗濯ものを吊るして干すことができるバーを同一物干し具に備えた物干し具。
【請求項２】
枠型物干し具に設置するバー等の棒状部材の形状を、風やその他の原因で布系干し物が滑り落ちないように滑り止めを装備した機能を持つ洗濯バサミとバー等の棒状部材を同時に備えた物干し具。
【発明の詳細な説明】
【技術分野】
【０００１】  本発明は、洗濯物の物干し具に関するものである。
【背景技術】
【０００２】  外周を枠で囲まれた形状の物干し具を、干すものにより使用目的に最適な仕様構造に設計するものである。【０００３】  通常の枠型物干し具は洗濯バサミを枠全周囲及び中間分割枠等に配置したものであるが、干すものによって洗濯バサミが使用されない場合があるため、その無駄を省く工夫が要求。【０００４】  洗濯バサミを使用してタオルを乾かした時、タオルの両端が弧を描いてまっすぐに畳むことができないという問題を解決するための手段を提示する。
【参考文献】
【特許文献】
【０００５】
【特許文献】  特開平９−１６８６９４号公報
【発明の概要】
【発明が解決しようとする課題】
【０００６】  枠型物干し具を使用してタオルを乾かす場合に、乾かした後でタオルの両端が綺麗にそろい、本来の形状を保持させることが課題である。【０００７】  タオルを干した場合には使用しない洗濯バサミが多く発生するが、この無駄な洗濯バサミを排除してタオル等の布系の干しものをかけやすい構造を提供することが課題となる。
【課題を解決するための手段】
【０００８】  枠型物干し具の外周に通常の洗濯バサミを装着して、内側に装着されている洗濯バサミの替わりにバー等の棒状部材を設置する。バー等の棒状部材にはタオル等の布等を干す形状を作成することにより、外周の洗濯バサミで靴下等の小物、内側にタオル等の布等を干すことにより未使用の洗濯バサミを省略できる。  また、バー等の棒状の部材にタオル等の布などを干すことにより、両端の歪みの解消となり畳むときに簡単に、かつ綺麗に畳むことができるようになる。
【図面の簡単な説明】
【０００９】
【図１】は内側にバー等の棒状部材を装着した物干し具の全体図である。
【図２】はバー等の棒状部材Ａの形状種類の図である。
【図３】はバー等の棒状部材Ｂの形状種類の図である。
【図４】はバー等の棒状部材Ｃの形状種類の図である。
【図５】はバー等の棒状部材Ｄの形状種類の図である。
【図６】はバー等の棒状部材Ｄの斜視図である。
【図７】は実際の使用時の図である。
【図８】は干されるタオルの脱着状況の説明図である
【図９】は干されたタオルの下部歪みの比較図である。
【符号の説明】    １．枠型物干し具
２．洗濯バサミ
３．バー等の棒状部材
４．タオル等の布
【発明を実施するための形態】
【００１０】    １枠型物干し具の使用されない２洗濯バサミの数を削減して、内側に３バー等の棒状部材を配置する。このことにより、４タオル等の布などが乾いたときに、両端に歪みの生じないように干せ、効率的かつ、４タオル等の布の脱着が安易となる構造を形成できる。
【実施例】
【００１１】    図１のように１枠型物干し具の外周に通常の２洗濯バサミを装着して、内側の平行に３バー等の棒状部材を装着する。【００１２】    図２は４タオル等の布を干す時に使用される３バー等の棒状部材の一般的形状で、下のバーはタオル等を吊るすバーであり、上のバーは下のバーを支えるバーである。上のバーは枠に対して自由に回転できるようになっている。干しものの装着が簡易にできるように干し物は横から挿入できる形状になっている。図３および図４は強風等で干し物がずれたり落下したりすることを避けるためのバインド機能を持たせた吊り具である。図５及び図６は枠に固定するバーを排除し、曲げたバーを片側に固定し一方の枠に曲げたバーを挟んで固定する形状になっている。【００１３】    図７では４タオルが３バー等の棒状部材を使用して簡単にその他の物と一緒に干すことができる。【００１４】    図８で分かる通り、３バー等の棒状部材を使用して干された４タオル等の布には下部に歪みが出ず、まっすぐになっている状況が分る。【００１５】    図９の通り、３バー等の棒状部材をした場合には２洗濯バサミを使用した時に生ずる４他タオル等の布の下部には歪みが見られない。
【図１】
2013154150.tif 000003
【図２】
2013154150.tif 000004
【図３】
2013154150.tif 000005
【図４】
2013154150.tif 000006
【図５】
2013154150.tif 000007
【図６】
2013154150.tif 000008
【図７】
2013154150.tif 000009
【図８】
2013154150.tif 000010
【図９】
2013154150.tif 000011
(57)【要約】【課題】  日本家屋における、狭い空間でいかにその狭い空間を有効的に利用して、洗濯物を干すことができるかが課題である。またそのために、開閉式物干しラックの未活用の外周フレームを有効活用させ、狭い空間を有効的に使用するため、どのようにすれば多くの洗濯物を同時に干すことができるかということが課題である。【解決手段】開閉式物干しラックを上下積み重ねる構造にして、上部に残る空間を有効活用させる。また、大きめな物干しラックの使用されていない外周にハンガー掛けを取り付ける。  また、洗濯バサミを装着したラックの取り付けなどを施し、同時に多くの洗濯物を干すことができるような構造にする。【選択図】図２
2013154149.tif 000002
【特許請求の範囲】
【請求項１】
省スペース仕様の開閉式物干しラックで、上部に同機能を持つ物干し具を設置することができる構造の積み重ね型物干しラック。
【請求項２】
開閉式の積み重ね型物干しラックで、積み重ね可能となっているラックをそれぞれ単独で使用することを可能にした物干しラック。この場合の下段のラックには布団やシーツ等の、大型の洗濯物も干せる機能をもたせる。
【請求項３】
外周フレームの未活用部分にハンガー等を均等な間隔で吊るすことを可能にする形状の部材が設置された物干しラック。
【請求項４】
外周フレームの未活用部分に洗濯バサミ等を装着して、未活用となっている外周フレームにも物干し機能を持たせた物干しラック。
【発明の詳細な説明】
【技術分野】
【０００１】  本発明は、洗濯物の物干し具に関するものである。
【背景技術】
【０００２】    物干しラックは通常単体で使用されますが、本体上部の空間スペースが無駄になっています。その上部空間を活用するため、干し分けができるような２台の物干しラックを上下一体化、もしくは洗濯物の量によって、その２台を単独で別々に使い分けることを可能にした効率的な使用方法のできる物干し具が必要と思われる。【０００３】    従来の開閉式物干しラックに於いては、外周のフレームは有効活用がなされていなかった。そのため、省スペースで一度に多くの洗濯物を干すことができ、また、未使用となっている本体の部位、特に外周のフレーム部等、を有効活用できるような構造の物干しラックが要求される。
【発明の概要】
【発明が解決しようとする課題】
【０００４】    狭いスペースで、いかにより多くの洗濯物を干すことができるか、そのためには物干し具の無駄な空間を排除するためにはどのようにすれば効果的なものになるかということが課題である。
【課題を解決するための手段】
【０００５】    活用されていない外周のフレームに付帯機能を付加して有効活用できるようにする。また、物干し具の設置された場所の上部空間をできる限り同様な機能と同様な目的のために活用させるため、上部空間にも同種の機能を持つ同一目的用の物干し具を設置する。
【図面の簡単な説明】
【０００６】
【図１】は上下一体化された物干しラックの図である。
【図２】は上下一体化された物干しラックの使用例の図である。
【図３】はハンガー掛けが設置された外周フレームの図である。
【図４】は洗濯バサミが設置された外周フレームの図である。
【図５】はハンガー掛け、洗濯バサミが同時に設置された外周フレームの図である。
【符号の説明】    １．下段の大きめな物干しラック
２．上段の小さめな物干しラック
３．洗濯バサミ
４．ハンガー掛け
５．下段大き目な物干しラックの外周フレーム
６．洗濯もの
【発明を実施するための形態】
【０００７】    複数の１，２開閉式物干しラックを空間の無駄を排除するため、上下に一体化する構造を持たせることにより、省スペース、空間の効率活用を実現させた。さらに、未活用であった５外周フレームに、本来の付随装置である４ハンガー掛け、３洗濯バサミを装着することにより、多種の６洗濯物の乾燥を可能にしたうえ、５外周フレームを有効活用することができた。
【実施例】
【０００８】    ［図１］のように、下部に１大きめな物干しラックを設置して、その上部に２小さめの物干しラックを設置する。このことにより、無駄の出ていた上部空間を同一目的で活用することができるようになる。【０００９】    ［図３］のように、１大きめな物干しラックの活用されていなかった５外周フレームに、一定の間隔を備えた４ハンガー掛けを設置することにより、形状を保持しなければならない６洗濯物も同時に干せる。【００１０】    ［図４］のように、１物干しラックの活用されていない５外周フレームに、３洗濯バサミが装着された小型ラックを取り付けることにより小さな洗濯物も同時に干せるようになり、活用されていない５外周フレームを有効活用させることができる。【００１１】    ［図５］のように、５外周フレームに４ハンガー掛けと３洗濯バサミが装着されたラックを設置することにより、干し分けを可能にして、なおかつ多くの６洗濯物を干すことができ、１物干しラックの５外周フレームを有効に活用できるようになる。【００１２】    ［図１］の通り、１大きな物干しラックの上側に２小さめな物干しラックを設置することにより、上部空間の無駄を省くとともに、  占有スペースも小さくすることができるようになる。【００１３】    ［図２］のように、設置型複合式物干しラックとなっており、それぞれ、単独で使用することができ、乾かしたい６洗濯物の大小により使い分けができるという利点も有する。特に下段に設置する１大きめな物干しのラックでは布団やシーツ等大きな物も乾かすことが可能となる。
【図１】
2013154149.tif 000003
【図２】
2013154149.tif 000004
【図３】
2013154149.tif 000005
【図４】
2013154149.tif 000006
【図５】
2013154149.tif 000007
(57)【要約】【課題】    洗濯ものは急な降雨など急ぎで取り込みが必要になるが、既存の洗濯バサミは手で加圧して開かないと取り込みが出来なかったので取り込みに時間がかかった。【解決手段】  図２−２の構造の洗濯バサミ▲１１▼で、図２−４のように洗濯もの▲１０▼を下にひくと図２の吊り具▲６▼は引かれ、その結果吊り具▲６▼と連結部材▲９▼の接点に引っ張り荷重がかかり連結部材▲９▼が曲がり、その結果として洗濯バサミの上先端部▲１▼▲２▼間の距離が小さくなる。洗濯バサミ▲１１▼の基準箇所が支点▲５▼にあるため洗濯バサミ上先端部▲１▼▲２▼間の距離が小さくなると洗濯バサミ下先端部▲３▼▲４▼が開く方向に力が働き、洗濯もの▲１０▼を下に引くだけの小さな力で簡易に洗濯もの▲１０▼を外すことができる。【選択図】図２
2013154148.tif 000002
【特許請求の範囲】
【請求項１】
加圧するバネ▲８▼の力で洗濯もの▲１０▼等を挟むことのできる構造の洗濯バサミ▲１１▼において、図２に示されるように洗濯バサミ▲１１▼の上先端部▲１▼▲２▼間に設けた接続部材▲９▼の中央部付近を支点▲５▼とし、２−４に示すように、洗濯もの▲１０▼等を下方向に引くことにより、接続部材▲９▼が吊り下げ部材▲６▼に上方に引かれることとなり２−４のように変形して、洗濯バサミ上先端部▲１▼▲２▼間の距離が狭くなる。この作用で、２−４のように洗濯バサミの下先端部▲３▼▲４▼が開くことにより洗濯もの▲１０▼等を簡易に取り外すことができる構造の洗濯バサミ。
【発明の詳細な説明】
【技術分野】
【０００１】  本発明は、洗濯物の物干し具の洗濯バサミに関するものである。
【背景技術】
【０００２】  通常の洗濯バサミ▲１１▼は、図１−４の矢印のように洗濯ハサミ▲１１▼の上先端部▲１▼▲２▼を加圧することで、支点▲５▼を中心として下先端部▲３▼▲４▼が開き洗濯もの▲１０▼等を取り外す構造であったため、洗濯もの▲１０▼の取り外しは指で洗濯バサミ▲１１▼の上先端部▲１▼▲２▼を加圧して取り外すのが一般的であった。しかし、急な降雨等の時には少しでも早く簡易に取り外す機構の洗濯バサミ▲１１▼が求められていた。【０００３】  この要求に対応して、先端にローラーを備えた洗濯もの▲１１▼を簡易に外せるものが開発されているが、ローラーが外れる、構造が複雑なため製造コストが高いとう課題があった。
【発明の概要】
【発明が解決しようとする課題】
【０００４】  洗濯バサミのようなバネの力を利用した挟具は、挟んでいるものを小さな力で取り外そうとすればバネの力を弱くするのが簡易な方法である。しかし、バネ力を弱くすればグリップ力が弱くなり、洗濯バサミのような用途の場合は風等の外部要因で洗濯ものが簡単に落下してしまう。洗濯バサミは洗濯ものを干している間はグリップ力を下げることなく、洗濯ものを外す時のみグリップ力が下がる構造が望まれる。また、製造コストを低く抑えるための簡易な構造にするという課題がある。
これらの要望や課題に応えられる洗濯バサミを提供することが課題となる。
【図面の簡単な説明】
【０００５】
【図１】は既存の洗濯バサミの構造と取り外し時の図である。図１−１、通常の洗濯バサミの形状  図１−２  通常の洗濯バサミを横から見た図  図１−３  通常の洗濯バサミに洗濯ものを取り付けた図  図１−４  通常の洗濯バサミから洗濯ものを取り外す図
【図２】は本発明の洗濯バサミの構造と取り外し時の図である。図２−１  新発明の洗濯バサミの形状  図２−２  新発明の洗濯バサミを横から見た図  図２−３  新発明の洗濯バサミに洗濯もの▲１０▼を取り付けた図  図２−４  新発明の洗濯バサミから洗濯ものを取り外す図
【符号の説明】  ▲１▼  洗濯バサミ本体の上先端左部
▲２▼  洗濯バサミ本体の上先端右部
▲３▼  洗濯バサミ下先端の洗濯ものグリップ部左部
▲４▼  洗濯バサミ下先端の洗濯ものグリップ部右部
▲５▼  洗濯バサミのグリップの支点
▲６▼  枠型洗濯物干しの枠と洗濯バサミ間の接続吊り具
▲７▼  枠型洗濯物干しの枠
▲８▼  洗濯バサミのグリップ力を作るバネ
▲９▼  ▲１▼▲２▼間を繋ぎ、吊り具▲６▼との接続部材
（▲６▼と▲９▼は一体でも良い）
▲１０▼  洗濯もの
▲１１▼  洗濯バサミ全体図
【発明を実施するための形態】
【００６】図１−２のような一般的な洗濯バサミ▲１１▼は、枠型洗濯干しの枠▲７▼と連結した吊り具▲６▼が洗濯バサミ▲１１▼本体のグリップ力を作るバネ▲８▼を通して吊り下げられている。
本発明は吊り具▲６▼をバネ▲８▼と直接連結せず、図２−２の洗濯バサミ▲１１▼の上先端部▲１▼▲２▼を接続部材▲９▼で繋ぎ、さらに接続部材▲９▼を吊り具▲６▼とフレーム▲７▼と接続された吊り具▲６▼と連結することで洗濯もの▲１０▼を下に引くだけで簡易に少ない力で洗濯もの▲１０▼を外すことができる洗濯バサミ▲１１▼。
【実施例】
【００７】  図２−１および図２−２のように基準箇所となる支点▲５▼を設け、挟み具の上下先端部▲１▼▲３▼および▲２▼▲４▼を備え、バネ▲８▼でグリップ力を持たせた洗濯バサミ▲１１▼を、洗濯バサミ上端部▲１▼▲２▼を接続部材▲９▼で繋ぎ、この接続部材▲９▼と枠型洗濯ものほしの枠▲７▼と連結した吊り具▲６▼で繋いだ構造の洗濯バサミ▲１１▼である。吊り具▲６▼と接続部材▲９▼は一体であることが望ましいが、一体で無くても良い。さらに、接続部材▲９▼も分割された部品であっても良い。【００８】    図２−３は洗濯もの▲１０▼を挟んでいる状態の図である。洗濯もの▲１０▼を下に引くと、洗濯バサミ▲１１▼の長さは一定であり、吊り具▲６▼の素材も伸縮性の低い部材を使用することで長さは一定になる。すると洗濯もの▲１０▼を下に引くとその力は洗濯バサミ▲１１▼の上部の吊り具▲６▼と接続部材▲９▼との接点に集中する。逃げ場の無くなった力は洗濯バサミ上端部▲１▼▲２▼間の距離を狭める力に変わる。その結果として、基準箇所にある支点▲５▼のため洗濯バサミ下先端部▲３▼▲４▼間のバインド力が弱まり、洗濯もの▲１０▼は少ない力で簡単に洗濯バサミ▲１１▼から外れる。【００９】  風等により簡単に洗濯もの▲１０▼が外れるのではないかとの危惧があるが、洗濯バサミ▲１１▼のグリップ力は洗濯もの▲１０▼を下に引かない限り弱まらない。風は通常横から吹くので洗濯もの▲１０▼に風が当たり大きく揺れることがあるが、横からの力は枠型洗濯物干し具の枠▲７▼と吊り具▲６▼の連結はユニバーサルジョイントに近い機構を持つため回転の方向に力は逃げるので力は分散され、下方への力は軽減されるので簡単に洗濯もの▲１０▼が外れることはない。
【図１】
2013154148.tif 000003
【図２】
2013154148.tif 000004